(57)【要約】      （修正有）【課題】強風で吹き上がった雨水により収容している荷物が濡れる事が無く、更に人が入った状態で閉扉しても安全な宅配ボックスを提供する。【解決手段】荷物を収容する空間を有する本体と、本体の前面開口部を閉塞する扉とを有し、本体の底面を構成する底板には、複数箇所に水抜き穴２０が設けられ、底板上には着脱可能な荷物載置板４が配置されている。荷物載置板４は、水抜き穴２０を含む底板を覆い、且つ底板上に一定の空間を形成するための側枠を有している。【選択図】図５
2020028327.tif 000002
【特許請求の範囲】
【請求項１】
荷物を収容する空間を有する本体と、前記本体の前面開口部を閉塞する扉とを有する宅配ボックスであって、
前記本体の底面を構成する底板には、複数箇所に水抜き穴が設けられていると共に、前記底板上には着脱可能な荷物載置板が配置されて成り、
前記荷物載置板は、前記水抜き穴を含む領域を覆い、且つ前記底板上に一定の空間が形成されるよう脚部を有していることを特徴とする宅配ボックス。
【請求項２】
前記本体の背面を形成する背板と、前記本体の側面を形成する左右の側板及び前記底板とは、互いに対峙して密着する帯状の止めしろが形成されており、
当該止めしろ同士がリベットにより締結され、前記背板と側板及び底板とが連結されることを特徴とする請求項１記載の宅配ボックス。
【請求項３】
前記水抜き穴は、前記底板の前後双方の端部であって、且つ前記側板に形成された止めしろより本体中央側に形成され、
前記荷物載置板の奥行きは、前記本体の底面の奥行きに合わせて形成されていることを特徴とする請求項２記載の宅配ボックス。
【発明の詳細な説明】
【技術分野】
【０００１】
本発明は、受取人が不在であっても宅配物を配達できる宅配ボックスに関し、特に屋外に設置可能な宅配ボックスに関する。
【背景技術】
【０００２】
不在の受取人に代わって宅配物を受け取るための宅配ボックスは、受取人及び配達者の双方にとって都合が良いため普及が進んでいる。但し、集合住宅に設置されるものは、エントランス等の建屋内の共用スペースに設置されるため、雨水に対する対策は必要無いが、戸建住宅や共用エントランスがないアパートに設置されるものは玄関先の風雨に晒される場所に設置される場合が多く、風雨に対する対策が必要となっている。例えば特許文献１に記載された屋外設置型の宅配ボックスでは、本体開口部に水切り枠が設けられ、扉の周囲にはその水切り枠を覆って開口部を閉塞する枠が設けられている。
【先行技術文献】
【特許文献】
【０００３】
【特許文献１】特開２０１８−７０９号公報
【発明の概要】
【発明が解決しようとする課題】
【０００４】
しかしながら、上記従来の屋外設置型の宅配ボックスは、本体に入り込んだ雨水に対する対策が十分でなく、収容した荷物が雨水で濡れてしまう場合があった。
この対策として、底部に水抜き穴を設けて雨水を排出させる構造が容易に考えられるが、単に水抜き穴を設けるだけでは、強風で吹き上がる雨水が水抜き孔から入り込む可能性があり、事は単純ではなかった。
また、大きな荷物も収容可能な広い内部スペースを設けた場合は、子供が遊びで入り込むことも考えられ、その場合の安全対策も必要であった。
【０００５】
そこで、本発明はこのような問題点に鑑み、強風で吹き上がる雨水により収容している荷物が濡れる事が無く、更に万が一人が入った状態で閉扉しても安全な宅配ボックスを提供することを目的としている。
【課題を解決するための手段】
【０００６】
上記課題を解決する為に、請求項１の発明は、荷物を収容する空間を有する本体と、本体の前面開口部を閉塞する扉とを有する宅配ボックスであって、本体の底面を構成する底板には、複数箇所に水抜き穴が設けられていると共に、底板上には着脱可能な荷物載置板が配置されて成り、荷物載置板は、水抜き穴を含む領域を覆い、且つ底板上に一定の空間が形成されるよう脚部を有していることを特徴とする。
この構成によれば、本体に入った雨水は水抜き穴から排出させることができる。そして、水抜き穴を設けたことで、吹き上がる風雨により下方から雨水が本体に入り込んでも、水抜き穴の上方は荷物載置板で覆われているため、収容している宅配物に雨水が達することはない。
加えて、水抜き穴は上方が荷物載置板で覆われているため、小さく形成しなくとも良く通気孔としての機能を持たせることができ、万が一本体に子供が入り込んで閉扉されたとしても、酸欠を招く事態を防止できる。また、荷物載置板が着脱可能なため、本体内の清掃もし易い。
【０００７】
請求項２の発明は、請求項１に記載の構成において、本体の背面を形成する背板と、本体の側面を形成する左右の側板及び底板とは、互いに対峙して密着する帯状の止めしろが形成されており、当該止めしろ同士がリベットにより締結され、背板と側板及び底板とが連結されることを特徴とする。
この構成によれば、背板と側板及び底板との連結部は、両者の間に形成された止めしろをリベット締めして連結されるため、安価な構成で連結でき且つ連結部からの雨水の浸入を確実に防止できる。
【０００８】
請求項３の発明は、請求項２に記載の構成において、水抜き穴は、底板の前後双方の端部であって、且つ側板に形成された止めしろより本体中央側に形成され、荷物載置板の奥行きは、本体の底面の奥行きに合わせて形成されていることを特徴とする。
この構成によれば、水抜き孔は底板の前後端部に形成されるため水が抜け易いし、荷物載置板の奥行きは底面の奥行きに合わせて形成されているため、前後に位置ずれを起こすことが無く水抜き穴が縁部に形成されてもその上方を確実に覆うことができる。
【発明の効果】
【０００９】
本発明によれば、本体に入った雨水は水抜き穴から排出させることができる。そして、水抜き穴を設けたことで、吹き上がる風雨により下方から雨水が本体に入り込んでも、水抜き穴の上方は荷物載置板で覆われているため、収容している宅配物に雨水が達することはない。
加えて、水抜き穴は上方が荷物載置板で覆われているため、小さく形成しなくとも良く通気孔としての機能を持たせることができ、万が一本体に子供が入り込んで閉扉されたとしても、酸欠を招く事態を防止できる。また、荷物載置板を着脱可能とすることで、本体内の清掃もし易い。
【図面の簡単な説明】
【００１０】
【図１】本発明に係る宅配ボックスの一例を示す斜視図であり、扉を開けた状態を示している。
【図２】本体の途中を水平に切断して本体底部を示した斜視説明図であり、（ａ）は荷物載置板が無い状態、（ｂ）は荷物載置板を設けた状態を示している。
【図３】図２のＡ部拡大図である。
【図４】荷物載置板の斜視図である。
【図５】図２に示す本体底部の平面図である。
【図６】荷物載置板の他の例を示す斜視図である。
【発明を実施するための形態】
【００１１】
以下、本発明を具体化した実施の形態を、図面を参照して詳細に説明する。図１は本発明に係る宅配ボックスの一例を示し、扉を開けた状態の斜視図を示している。宅配ボックスは、荷物収容空間を備えた本体１と、本体１に蝶着された扉２とを有し、扉２には施錠部３が設けられ、閉扉した扉２の施錠が可能となっている。また、本体１の内部には荷物を載置する荷物載置板４が載置されている。
この宅配ボックスは、主に戸建住宅やアパートで使用されるもので、荷物収容空間は仕切りの無い構成となっている。また、設置する際は、例えば本体の左右に支柱（図示せず）が取り付けられ、玄関先等に支柱を使用して立設される。
【００１２】
本体１は、左右側板１１、天板１２、底板１３（図２に示す）、背板１４を有し、前面を除く各面が閉塞されている。前面は開放され、前面周囲には水切り枠１５が前方に突出して形成され側方から入り込んだ雨水が、本体１の前面側に回り込まないよう形成されている。
一方扉２は、周囲に水切り枠１５を覆う側枠２１が形成され、閉扉した際に本体１の前面を閉塞するよう構成されている。
【００１３】
また本体１は、左右側板１１、１１と底板１３とは一体に形成されているが、背板１４は側板１１及び底板１３に対してリベットによる締結で連結される。そのための止めしろが両者の間に設けられている。
図２は本体１の途中を水平に切断して内底部を示した説明図であり、（ａ）は荷物載置板４を取り外した状態、（ｂ）は荷物載置板４を設けた状態を示している。また、図３は図２のＡ部拡大図である。図２，３に示すように、止めしろ１７（１７ａ，１７ｂ）は、背板１４と側板１１及び底板１３との双方に一定幅で帯状に形成され、互いの止めしろ１７が密着するよう形成されている。
【００１４】
尚、１７ａが側板１１及び底板１３に形成された止めしろ、１７ｂが背板１４に形成された止めしろである。また、背板１４にはコ字状に折り曲げ形成された枠１４ａが周設され、この枠１４ａの外側の１辺が止めしろ１７ｂとして形成されている。
また、１８はリベット挿入孔であり、こうして重ね合わせられた止めしろ１７が、一定間隔で設けられたリベット挿入孔１８を使用してリベット（図示せず）により締着される。
【００１５】
図４は、荷物載置板４の斜視図であり、鋼板により形成され、平坦な載置面４１と、脚部としての側枠４２（４２ａ，４２ｂ）を有している。側枠４２は鋼板の周囲を一定幅で下方に折り曲げて形成され、底板１３に載置した状態で底板１３上に一定の空間ができるよう構成されている。
また、荷物載置板４は、本体１底部の形状に合わせて形成され、図５に想像線で示すように、奥行きは本体１の奥行きに合わせて形成され、幅は左右側面に形成されている止めしろ１７に至る幅を有して形成されている。
具体的に、左右に形成された側枠４２ａは、背板１４に近い奥部には設けず開口部４３を形成し、底板１３に形成された止めしろ１７を挿通可能としている。即ち、止めしろ１７を跨いで背板１４に至る位置まで達するよう形成されている。こうして、前後方向及び左右方向に位置ずれが発生しないよう形成されている。
【００１６】
また、荷物載置板４は、前後に形成された側枠４２ｂの左右端部が、後述する水抜き穴２０を塞がないよう切り欠き４４が設けられ、底板１３から浮くように形成されている。
尚、底板１３上に配置した荷物載置板４の左右には、左右から突出した止めしろ１７により隙間が形成されるため、この隙間を利用して荷物載置板４の着脱は容易に実施できる。  
【００１７】
図５は、図２に示した本体１底部の平面図である。図５に示すように、底部には水抜き穴２０が形成されている。水抜き穴２０は長方形状を成し、底板１３に４カ所、背板１４の底部に２カ所、計６カ所設けられている。
水抜き穴２０は、底板１３の前側縁部の２カ所、後側縁部の２カ所、背板１４の底部となる枠１４ａの後端部の２カ所に形成され、何れも側板１１から内側に突出した止めしろ１７の更に内側に形成され、荷物載置板４の下部に位置するよう配置されている。
【００１８】
このように、本体１に入った雨水は水抜き穴２０から排出させることができる。そして、水抜き穴２０を設けたことで、吹き上がる風雨により下方から水抜き穴２０を介して雨水が本体１に入り込んでも、水抜き穴２０の上方は荷物載置板４で覆われているため、収容している宅配物に雨水が達することはない。
加えて、水抜き穴２０は上方が荷物載置板４で覆われているため、小さく形成しなくとも良く通気孔としての機能を持たせることができ、万が一本体１に子供が入り込んで閉扉されたとしても、酸欠を招く事態を防止できる。また、荷物載置板４を着脱可能とすることで、本体１内の清掃もし易い。
また、背板１４と側板１１及び底板１３との連結部は、両者の間に形成された止めしろ１７をリベット締めして連結されるため、安価な構成で連結でき且つ連結部からの雨水の浸入を確実に防止できる。
更に、水抜き穴２０は底板１３の前後端部に形成されているため水が抜け易いし、荷物載置板４の奥行きは底面の奥行きに合わせて形成されているため、前後に位置ずれを起こすことが無く水抜き穴２０が縁部に形成されてもその上方を確実に覆うことができる。
【００１９】
図６は荷物載置板４の他の例を示し、合成樹脂製の荷物載置板４を示している。図６に示すように、３カ所に帯状の脚部４５を設けることで、図４に示す金属製と同様に底板１３上に空間を形成でき、止めしろ１７を跨いで配置できる。そして、水抜き穴２０に対応する部位に切り欠き４４を設ければ良い。
【００２０】
尚、水抜き穴２０は長方形でスリット状に形成されているが、形状はスリット状に限定するものでなく、内部の水が排出され易ければ良いため例えば円形でも良い。
また、背板１４と側板１１及び底板１３との連結は、リベットを使用せず溶接により実施しても良く、その場合は止めしろ１７は無くても良い。
【符号の説明】
【００２１】
１・・本体、２・・扉、４・・荷物載置板、１１・・側板、１２・・天板、１３・・底板、１４・・背板、１７（１７ａ，１７ｂ）・・止めしろ、２０・・水抜き穴、４２・・側枠（脚部）、４３・・開口部、４４・・切り欠き。
【図１】
2020028327.tif 000003
【図２】
2020028327.tif 000004
【図３】
2020028327.tif 000005
【図４】
2020028327.tif 000006
【図５】
2020028327.tif 000007
【図６】
2020028327.tif 000008